(57)【要約】【課題】  部品点数や組立工数を削減し、コストを低減することができ、かつ傘立て具が着座者の障害となることのない傘立て具付きテーブルを提供する。【解決手段】  ワイヤー状の傘立て具８の前後の取付杆９ａ、９ｂを、傘収納部１０が天板５の側方においてほぼ水平をなす使用位置から下向きに垂下する不使用位置とに回動し得るように、脚柱３の前後両面に取付ける。【選択図】  図３
2006247060.tif 000002
【特許請求の範囲】
【請求項１】
天板を支持する左右の脚柱に取付可能な取付部と、傘を挿入して保持可能な傘収納部とを備えるワイヤー状の傘立て具を、前記傘収納部が前記脚柱の外側面に沿って垂下する不使用位置と、同じく前記傘収納部が前記天板の側端よりも外側方においてほぼ水平をなす使用位置との間を上下に回動し得るように、前記脚柱に設けたことを特徴とする傘立て具付きテーブル。
【請求項２】
傘立て具の取付部を、傘収納部と連続するとともに、脚柱の前後面間に挟入可能な前後１対の取付杆とし、後部の取付杆の遊端に前向きの係合部を、前部の取付杆の遊端に、後向きに折曲され、先端部が左右方向の内方に向かって延出する係合部を、それぞれ連設し、前記後部の取付杆の係合部と、前部の取付杆の係合部の先端部とを、脚柱の前後両面に設けた係合孔に回動可能に係合した請求項１に記載の傘立て具付きテーブル。
【請求項３】
左右の脚柱の後面に、幕板を、その前面が後部の取付杆と近接するように取付けた請求項２に記載の傘立て具付きテーブル。
【請求項４】
幕板の側端を、脚柱の外側面よりも外側方に突出させた請求項３に記載の傘立て具付きテーブル。
【請求項５】
前後の取付杆における少なくともいずれか一方に、脚柱の前後両面のいずれか一方、もしくは幕板の前面と摺接し、かつその際の摩擦力により傘立て具の回動に抵抗力を付与する滑り止め部材を取付けた請求項２ないし４のいずれかに記載の傘立て具付きテーブル。
【請求項６】
脚柱の下端に、前後方向を向くベース脚を設けた請求項１ないし５のいずれかに記載の傘立て具付きテーブル。
【請求項７】
脚柱の少なくとも外側面を、前後方向に長い垂直面とした請求項１ないし６のいずれかに記載の傘立て具付きテーブル。
【発明の詳細な説明】
【技術分野】
【０００１】
本発明は、例えば学校等の教育施設の講義室や講習会場などにおいて使用される傘立て具付きテーブルに関する。
【背景技術】
【０００２】
受講者の人数が多い場合には、室外に設置された大きな傘立てに各自の傘を挿入すると、他人の傘を間違えて持ち帰ったり、盗難に遭うなどするため、講義室に各自傘を持ち込み、テーブル等に立て掛けておくのが好ましい。
このような際に用いられる従来の傘立て具付きテーブルとしては、例えば特許文献１に記載されているものがある。
【０００３】
【特許文献１】実公昭１１−１６１０３号公報
【発明の開示】
【発明が解決しようとする課題】
【０００４】
上記特許文献に記載されている傘立て具付きテーブルにおいては、天板の中心を支持する支柱に中心環を取付け、この中心環より複数の腕杆を放射方向に延設し、各腕杆の遊端に、先端が環状をなす傘支持部材の基端を水平回動可能に枢着した構成となっているため、部品点数や組立工数が多く、コスト高となる問題がある。
また、使用状態において、傘支持部材やそれに立て掛けた傘が天板の周端より突出するため、テーブル使用時に邪魔になる。
さらに、天板の下方に傘立て具全体が設けられているので、椅子に着座した際に、膝が当たる恐れもある。
【０００５】
本発明は、上記問題点を解決するためになされたもので、部品点数や組立工数を削減して、コストを低減し得るとともに、傘立て具が着座者の障害となることのないようにした傘立て具付きテーブルを提供することを目的としている。
【課題を解決するための手段】
【０００６】
上記目的を達成するために、本発明の請求項１に記載の傘立て具付きテーブルは、天板を支持する左右の脚柱に取付可能な取付部と、傘を挿入して保持可能な傘収納部とを備えるワイヤー状の傘立て具を、前記傘収納部が前記脚柱の外側面に沿って垂下する不使用位置と、同じく前記傘収納部が前記天板の側端よりも外側方においてほぼ水平をなす使用位置との間を上下に回動し得るように、前記脚柱に設けたことを特徴としている。
この特徴によれば、ワイヤー状の傘立て具は、天板を支持する左右の脚柱の上下に回動可能に取付けられ、かつ傘収納部は、使用位置において天板の側端より外側方に位置しているので、この傘立て具を取付けたテーブルを使用する際に、傘立て具自身や、それに収納した傘が着座者の障害になることはない。
また、傘立て具はワイヤー状をなし、かつその取付部を、単に脚柱に上下に回動可能に取付けているのみであるため、部品点数や組立工数が極めて少なく、コストが低減する。
【０００７】
本発明の請求項２に記載の傘立て具付きテーブルは、請求項１に記載の傘立て具付きテーブルであって、傘立て具の取付部を、傘収納部と連続するとともに、脚柱の前後面間に挟入可能な前後１対の取付杆とし、後部の取付杆の遊端に前向きの係合部を、前部の取付杆の遊端に、後向きに折曲され、先端部が左右方向の内方に向かって延出する係合部を、それぞれ連設し、前記後部の取付杆の係合部と、前部の取付杆の係合部の先端部とを、脚柱の前後両面に設けた係合孔に回動可能に係合したことを特徴としている。
この特徴によれば、傘立て具を１個の部材のみにより形成しうるとともに、脚柱には前後２個の係合孔を穿設するのみでよいため、部品点数や組立工数がさらに少なくなる。
しかも前後の取付杆の係合部を、脚柱の前後面の係合孔に挿入するのみでよいので、傘立て具の着脱も容易に行える。
また、前部の取付杆の係合部は、その内方を向く先端部を脚柱の係合孔に係合させて取付けているため、通常の使用状態において前部の取付杆が脚柱から外れることはない。
【０００８】
本発明の請求項３に記載の傘立て具付きテーブルは、請求項２に記載の傘立て具付きテーブルであって、左右の脚柱の後面に、幕板を、その前面が後部の取付杆と近接するように取付けたことを特徴としている。
この特徴によれば、傘立て具の後部の取付杆が、幕板により後方に移動するのが阻止されるため、その係合部が脚柱の後面の係合孔から外れるのが防止される。
【０００９】
本発明の請求項４に記載の傘立て具付きテーブルは、請求項３に記載の傘立て具付きテーブルであって、幕板の側端を、脚柱の外側面よりも外側方に突出させたことを特徴としている。
この特徴によれば、脚柱の後端と幕板の側端部とが交差する外方の隅部に、平面視ほぼ直角の凹部が上下方向に沿って形成されるので、この凹部に傘を入り込ませて安定的に立て掛けることができる。また、傘が幕板により若干隠されるので、後方から見えにくくなる。
【００１０】
本発明の請求項５に記載の傘立て具付きテーブルは、請求項２ないし４のいずれかに記載の傘立て具付きテーブルであって、前後の取付杆における少なくともいずれか一方に、脚柱の前後両面のいずれか一方、もしくは幕板の前面と摺接し、かつその際の摩擦力により傘立て具の回動に抵抗力を付与する滑り止め部材を取付けたことを特徴としている。
この特徴によれば、傘立て具の傘収納部を水平な使用位置に停止させて、傘を片手で上方より容易に挿入したり、傘を挿入したのち傘立て具を下向きに回動させて、傘収納部により傘を押さえ、妄りにぐら付くのを防止したりすることができる。
【００１１】
本発明の請求項６に記載の傘立て具付きテーブルは、請求項１ないし５のいずれかに記載の傘立て具付きテーブルであって、脚柱の下端に、前後方向を向くベース脚を設けたことを特徴としている。
この特徴によれば、傘収納部に収納された傘の下端が、前後方向を向くベース脚の外側面に当接可能となるので、傘の下端部が天板下の内方に倒れ込むのが防止される。
【００１２】
本発明の請求項７に記載の傘立て具付きテーブルは、請求項１ないし６のいずれかに記載の傘立て具付きテーブルであって、脚柱の少なくとも外側面を、前後方向に長い垂直面としたことを特徴としている。
この特徴によれば、傘収納部に収納された傘が、脚柱の上下方向の外側面に広い領域で当接しうるようになるので、傘が内方に倒れ込みにくくなる。
【発明を実施するための最良の形態】
【００１３】
本発明の実施例を以下に説明する。
【実施例】
【００１４】
図１は、教育施設等の講義室において使用される本発明の傘立て具付きテーブルの斜視図、図２は、同じく側面図で、テーブル１は、下端に前後方向を向くベース脚２が固着された左右１対の脚柱３、３と、それらの上端の前方を向く（以下、図２の右方を前として説明する）天板支持杆４の上面に載置して固定された天板５と、左右の脚柱３に、その後面より若干後方に離間するようにして、かつ上端部が天板５の後端の上方に若干突出するように、図示しないブラケットにより固定された幕板６とを備えている。
【００１５】
上記脚柱３は、図３の拡大横断面図に示すように、前後方向に長いほぼ長方形の断面形状をなし、左右に両側面が前後方向に長い垂直面となっている。
【００１６】
幕板６の左右寸法は、その両側端部が脚柱３の外側面よりも外側方に突出するように、両脚柱３の外側面間の離間寸法よりも大とされ、脚柱３の後端と幕板６の側端部前面とが交差する外方の隅部に、平面視ほぼ直角の凹部７が形成されるようにしてある。
【００１７】
天板５の左右寸法は、幕板６よりも若干短寸とされている。また、左右の脚柱３の上部には、傘立て具８が取付けられている。
【００１８】
傘立て具８は、図３に示すように、１本のワイヤーを折曲したものよりなり、脚柱３の前後面間に挟入可能な寸法離間する前後１対の取付杆９ａ、９ｂと、それらの側端に一体的に連設され、前端が前方に向かって円弧状に湾曲する平面視概ね内向コ字状の傘収納部１０とを備えている。傘収納部１０の前後寸法は、２本の傘Ａが収納可能な前後寸法とされている。
【００１９】
上記後部の取付杆９ｂの遊端（内端）には、前向きの短寸の係合部１１が、直角に折曲して形成されている。また、前部の取付杆９ａの遊端（内端）には、後向きに直角に折曲されたのち、先端部が左右方の内方に向かって延出するように直角に折曲された、平面視ほぼ逆Ｌ字状の係合部１２が形成されている。
【００２０】
脚柱３の前後両面の左右方向の中央部には、円形の係合孔１３、１３が穿設され、この両係合孔１３に、上記前後の係合部１１、１２が回動可能に係合されるようになっている。
【００２１】
すなわち、幕板６を脚柱３に取付ける前において、まず前部の係合部１２を、脚柱３の前部の係合孔１３に、傘立て具８全体を前方に傾けて係合させた後、後部の取付杆９ｂを後方に若干弾性変形させて、その係合部１１を脚柱３の後部の係合孔１３に係合する。その後、幕板６を両脚柱３に取付ける。
【００２２】
これにより、傘立て具８は、図４にも示すように、脚柱３の外側方において、少なくとも水平をなす使用位置から、傘収納部１０が脚柱３の外側面に沿って垂直し、その下端が脚柱３の外側面に当接する不使用位置までの間を上下に回動可能に取付けられる。
【００２３】
この際、前部の係合部１２の先端部は、脚柱３の内部において内方を向いており、かつ後部の取付杆９ｂの後端には幕板６の前面が近接しているため、両係合部１１、１２が脚柱３の係合孔１３より抜け外れる恐れはない。
【００２４】
なお、傘立て具８の左右寸法は、図３に示すように、水平の使用位置において傘収納部１０が天板５及び幕板６の側端よりも外側方に突出する長さとされている。
【００２５】
上記実施例において、傘Ａを傘立て具８に収納して立て掛けるには、傘収納部１０がほぼ水平をなす使用位置まで傘立て具８全体を上向きに回動させ、傘Ａを上方より傘収納部１０内に挿入すればよい。傘Ａの下端は、ベース脚２の外側方に位置するので、傘Ａの下端部がテーブル１の内方に倒れ込むことはない。
【００２６】
傘４の長さが天板５の高さよりも短い場合は、傘Ａを、脚柱３と幕板６との隅部の凹部７に入り込ませ、安定して立て掛けることができるばかりか、幕板６により傘Ａが少し隠されるので、後方から見えにくくなる。また、図１に示されるように、例えば教育施設等の講義室においてテーブル１が前後方向に連続配置される場合においては、幕板６により、前方のテーブル１に着席する人に、その後方のテーブル１に立て掛けた傘Ａのしずく等が付着することが防止される。
【００２７】
図５及び図６は、傘立て具８の変形例を示すもので、前後の取付杆９ａ、９ｂに、例えば摩擦抵抗の大きいゴム等よりなるパイプ状の滑り止め部材１４、１４を嵌着し、前部の滑り止め部材１４は脚柱３の前面に、かつ後部の滑り止め部材１４は、幕板６の前面又は脚柱３の後面、もしくはそれらの両面に、それぞれ摺接するようにしてある。
【００２８】
このようにすると、滑り止め部材１４の摩擦力により、傘立て具８を回動させる際に抵抗力が付与され、図６に示すように、水平の使用位置に停止させたり、下向きの任意の回動位置に停止させることができる。
【００２９】
この結果、傘Ａを、片手で傘収納部１０に上方から容易に挿入し得るとともに、２点鎖線のように傘立て具８を下向きに回動させて、傘Ａの外面を傘収納部１０により押さえ、左右向に妄りにぐら付くのを防止することができる。
【００３０】
以上説明したように、上記実施形態において、傘立て具８は、天板５を支持する左右の脚柱３に取付けられ、かつ傘収納部１０は、使用位置において天板５の側端より外側方に突出しているため、この傘立て具８付きのテーブル１を使用する際に、傘立て具８自身や、それに収納して立てた傘Ａが着座者の膝等に当たるなどして、邪魔になったりすることはない。
【００３１】
また、傘立て具８は、１本のワイヤー材よりなり、その前後の係合部１１、１２を、単に脚柱３の前後面に形成した係合孔１３に回動可能に係合して取付けているだけであるため、部品点数や組立工数が極めて少なく、コストを低減することができる。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば、上記実施例では、天板５の左右寸法を、脚柱３の外側面より突出する長さとしているが、左右の脚柱３の外側面とほぼ整合する長さとし、幕板６の側端部のみが脚柱３の外側面より突出するようにしてもよい。
【００３４】
このようにすると、脚柱３と幕板６との隅部に形成される凹部７が、天板５に遮られることなく、上下に連続するため、天板５の高さよりも長い傘Ａでも、傘全体を凹部７に入り込ませて、安定的に立て掛けることができる。
【００３５】
傘収納部１０を、２本の傘Ａが収納しうる大きさとしているが、１本の傘のみが収納可能な大きさとしてもよいことは勿論である。この際は、脚柱３の前後寸法を適宜に小さくすればよい。
【図面の簡単な説明】
【００３６】
【図１】本発明の傘立て具付きテーブルの斜視図である。
【図２】同じく側面図である。
【図３】図２のII−II線に沿う拡大横断平面図である。
【図４】図３のIV−IV線矢視図である。
【図５】傘立て具の変形例を示す図３と同部位の横断平面図である。
【図６】同じく、図５を正面から見た図である。
【符号の説明】
【００３７】
１                テーブル
２                ベース脚
３                脚柱
４                天板支持杆
５                天板
６                幕板
７                凹部
８                傘立て具
９ａ、９ｂ        取付杆
１０              傘収納部
１１、１２        係合部
１３              係合孔
１４              滑り止め部材
Ａ                傘
【図１】
2006247060.tif 000003
【図２】
2006247060.tif 000004
【図３】
2006247060.tif 000005
【図４】
2006247060.tif 000006
【図５】
2006247060.tif 000007
【図６】
2006247060.tif 000008